(57)【要約】【課題】光と共に発生した熱が光学部材に直接伝達されることを防止するための光源アセンブリ、これを有するバックライトアセンブリ及び液晶表示装置を提供する。【解決手段】  光源ユニットで光と共に発生した熱が光源ユニットと連結された光学部材に直接伝達されないように光源ユニットと光学部材との間には放熱部が配置される。放熱部は光源ユニットから延伸されて形成されるか、光源ユニット及び光学部材が収納される収納容器から延伸される。放熱部により光源ユニットから光学部材に伝達される熱を減少させて光学部材の形状変化を減少させ、液晶表示装置から発生した映像の表示品質が低下されることを防止する。【選択図】  図１
2005019400.tif 000002
【特許請求の範囲】
【請求項１】
放電ガスにより非可視光線を発生する放電ガスを収容するための放電空間が形成された光源本体、前記光源本体の内壁に形成されて前記非可視光線を可視光線に変化させる蛍光層、及び前記放電を起こすための放電電圧を前記光源本体に伝達する放電電圧伝達部とを含み、前記可視光線を放射状に射出する光源ユニットと、
前記光源ユニットを固定するホルダーと、
放射状に射出された前記可視光線を集光して射出するための反射部、及び前記光源ユニットから発生した熱を放熱するための、前記反射部から延び前記ホルダーを囲む放熱部を有する反射カバーと、
を含む光源アセンブリ。
【請求項２】
前記放電電圧伝達部は、
前記光源本体の第１端部に配置された第１電極と、
前記第１端部と向き合う前記第２端部に配置された第２電極と、
を含むことを特徴とする請求項１記載の光源アセンブリ。
【請求項３】
前記反射部は、
第１反射部と、
前記第１反射部から前記光源ユニットを囲む方向に折り曲げられて形成された第２反射部と、
前記第２反射部から前記第１反射部と向き合うように折り曲げられて形成された第３反射部と、
を含むことを特徴とする請求項１記載の光源アセンブリ。
【請求項４】
前記放熱部は前記第１反射部から延びることを特徴とする請求項３記載の光源アセンブリ。
【請求項５】
前記放熱部は前記第３反射部から延びることを特徴とする請求項３記載の光源アセンブリ。
【請求項６】
光を発生し放射状に射出する光源ユニットと、前記光源ユニットを固定するホルダーと、放射状に射出された前記光を一方の方向に集光して射出するために前記光源ユニット及びホルダーを囲む反射カバーとを含む光源アセンブリと、
前記光源アセンブリに隣接して配置され、前記射出された光の供給を受けて前記光の光学分布を変化させるための光学部材と、
前記光源アセンブリ及び前記光学部材を収納するための収納本体と、前記収納本体から延び前記ホルダーと前記光学部材との間に配置される放熱部とを含む第１収納容器と、
を含むことを特徴とするバックライトアセンブリ。
【請求項７】
前記収納本体は底面及び前記底面の縁から延びる側壁を含むことを特徴とする請求項６記載のバックライトアセンブリ。
【請求項８】
前記放熱部は前記側壁から前記底面と向き合うように延び前記ホルダーと前記光学部材との間に配置されることを特徴とする請求項７記載のバックライトアセンブリ。
【請求項９】
前記放熱部は前記底面から切り出されて前記ホルダーと前記光学部材との間に配置されることを特徴とする請求項７記載のバックライトアセンブリ。
【請求項１０】
前記第１収納容器はアルミニウムまたはアルミニウム合金からなることを特徴とする請求項７記載のバックライトアセンブリ。
【請求項１１】
前記第１収納容器は第２収納容器に収納されることを特徴とする請求項７記載のバックライトアセンブリ。
【請求項１２】
前記第２収納容器は合成樹脂材質からなることを特徴とする請求項１１記載のバックライトアセンブリ。
【請求項１３】
前記光学部材は前記光が入射される光入射面と、前記光入射面を通過した前記光を反射させる光反射面と、前記光反射面と向き合う光射出面とを有する導光板を含むことを特徴とする請求項７記載のバックライトアセンブリ。
【請求項１４】
前記光学部材は前記光射出面に配置された光学シート類をさらに含むことを特徴とする請求項１３記載のバックライトアセンブリ。
【請求項１５】
光を発生し放射状に射出する光源ユニットと、前記光源ユニットを固定するホルダーと、放射状に射出された前記光を一方の方向に集光して射出させるために前記光源ユニット及びホルダーを囲む反射カバーとを含む光源アセンブリと、
前記光源アセンブリと並んで配置され、前記光の供給を受けて前記光の光学分布を変化させるための光学部材と、
前記光源アセンブリ及び前記光源部材を収納するための収納本体と、前記収納本体から延び前記ホルダーと前記光学部材との間に配置される放熱部とを含む第１収納容器と、
前記第１収納容器に配置され、液晶を用いて前記光を情報が含まれたイメージ光に変化させる液晶表示パネルと、
を含む液晶表示装置。
【請求項１６】
前記収納本体は底面及び前記底面の縁から延びる側壁を含むことを特徴とする請求項１５記載の液晶表示装置。
【請求項１７】
前記放熱部は前記側壁から前記底面と向き合うように延伸されて前記ホルダーと前記光学部材との間に配置されることを特徴とする請求項１６記載の液晶表示装置。
【請求項１８】
前記放熱部は、前記底面から切り出され前記ホルダーと前記光学部材との間に配置されることを特徴とする請求項１６記載の液晶表示装置。
【請求項１９】
前記第１収納容器は第２収納容器に収納されることを特徴とする請求項１５記載の液晶表示装置。
【発明の詳細な説明】
【技術分野】
【０００１】
本発明は光源アセンブリ、これを有するバックライトアセンブリ及び液晶表示装置に関し、より具体的には光源ユニットから光と共に発生した熱をより迅速に放熱させる光源アセンブリ、これを有するバックライトアセンブリ及び液晶表示装置に関する。
【背景技術】
【０００２】
一般に、液晶は、固体と液体の中間的な物理的特性、電界の方向により配列が変化する電気的特性、及び配列に対応して光の透過率を変化させる光学的特性を有する。
液晶表示装置は制御された液晶により情報が含まれた映像を表示する。映像を表示する液晶表示装置は、嵩が非常に小さくて軽いという長所を有する。液晶表示装置は携帯用コンピュータ、通信機器、液晶ＴＶ受信機及び宇宙航空産業などに広く使用されている。
液晶表示装置は液晶を制御する液晶制御部及び液晶に光を供給する光供給部により映像を表示する。
一般に、液晶制御部は、画素電極を有する第１基板、共通電極を有する第２基板、及び第１基板と第２基板との間に介在する液晶層を有する。画素電極は解像度に対応して複数個設けられ、共通電極は画素電極と対向して一つ設けられる。各画素電極には画素電圧を伝達する薄膜トランジスタが連結され、共通電極には基準電圧が印加される。光供給部を別途に有する液晶表示装置の画素電極及び共通電極は透明である。
光供給部は液晶に光を供給するものである。光は画素電極、液晶及び共通電極を順次に通過する。液晶制御部を通過した映像の表示品質は、光供給部の輝度及び輝度均一性により影響を受ける。一般に、光供給部から発生した光の輝度及び輝度均一性が高いほど、表示品質は良好になる。従来の液晶表示装置の光供給部には、主に棒形状の冷陰極線管方式ランプが使用されている。冷陰極線管方式ランプは、輝度が高く、寿命が長く、白色光を発生させ、白熱灯などに比べて発熱量が少ないという長所を有する。
しかし、従来の冷陰極線管方式ランプは白熱灯より発熱量が少ないが、光を発生する過程において熱が光と共に発生している。
＜表１＞には、従来の液晶表示装置に使用される冷陰極線管方式ランプの表面及びホルダーの表面で測定された表面温度が示されている。
【０００３】
【表１】
2005019400.tif 000003
【０００４】
<表１>に示すように、従来の冷陰極線管方式ランプは、管電流の大きさに対応して光量が増加し、管電流の増加に比例して冷陰極線管方式ランプの表面温度及び冷陰極線管方式ランプを固定するホルダーの表面温度も共に上昇する。冷陰極線管方式ランプの管電流が約６．４５ｍＡの時、ランプの表面温度は約１１１．２℃、ホルダーの表面温度は約１００．２℃程度である。
ホルダーは約２４０℃の温度以上で変形が起こるので約６．４５ｍＡの管電流により破損されない。しかし、ホルダーと接触する光学部材、例えば、導光板は約１００℃以上の温度で襞または形状変形が発生する可能性がある。また、導光板の上面に配置された光学シート類も約１００℃で導光板に付着してしまい、光学シート類に襞が発生したり形状が変化したりする場合がある。
冷陰極線管方式ランプで発生した熱は、光学部材、例えば、導光板または光学シート類に襞または形状の変化が生じたり、液晶表示パネルに注入された液晶を液化させたりして、液晶表示装置の表示品質を大幅に低下させる場合があるという問題がある。
【発明の開示】
【発明が解決しようとする課題】
【０００５】
従って、本発明はこのような従来の問題点を勘案したもので、本発明の第１目的は液晶を通過する光を発生する過程で附随的に発生した熱を迅速に外部に放熱させて光学部材の損傷を防止した光源アセンブリを提供する。
本発明の第２目的は前記光源アセンブリを含むバックライトアセンブリを提供する。
本発明の第３目的は前記光源アセンブリを含む液晶表示装置を提供する。
【課題を解決するための手段】
【０００６】
このような本発明の第１目的を具現するために、本発明による光源アセンブリは放電ガスにより非可視光線を発生する放電ガスを収容するための放電空間が形成された光源本体、前記光源本体の内壁に形成されて前記非可視光線を可視光線に変化させる蛍光層、及び前記放電を起こすための放電電圧を前記光源本体に伝達する放電電圧伝達部を含み、前記可視構成を放射状に射出する光源ユニットと、前記光源ユニットを固定するホルダーと、放射上に射出された前記可視光線を集光して射出するための反射部及び前記光源ユニットから発生した熱を放熱するための、前記反射部から延び前記ホルダーを囲む放熱部を有する反射カバーと、を含む光源アセンブリを提供する。
また、本発明の第２目的を具現するために、本発明によるバックライトアセンブリは、光を発生し放射状に射出する光源ユニット、前記光源ユニットを固定するホルダー及び放射状に射出された前記光を一方の方向に集光して射出するために前記光源ユニットとホルダーとを囲む反射カバーを含む光源アセンブリと、前記光源アセンブリに隣接して配置され、前記射出された光の供給を受け前記光の光学分布を変化させるための光学部材と、前記光源アセンブリと前記光学部材とを収納するための収納本体及び前記収納本体から延び前記ホルダーと前記光学部材との間に配置される放熱部を含む第１収納容器と、を含むバックライトアセンブリを提供する。
【０００７】
また、本発明の第３目的を具現するために、本発明による液晶表示装置は光を発生し放射状に射出する光源ユニット、前記光源ユニットを固定するホルダー及び放射状に射出された前記光を一方の方向に集光して射出させるために前記光源ユニット及びホルダーを囲む反射カバーを含む光源アセンブリと、前記光源アセンブリと並んで配置され、前記光の供給を受けて前記光の光学分布を変化させるための光学部材と、前記光源アセンブリと前記光源部材とを収納するための収納本体及び前記収納本体から延び前記ホルダーと前記光学部材との間に配置される放熱部を含む第１収納容器と、前記第１収納容器に配置され、液晶を用いて前記光を情報が含まれたイメージ光に変化させる液晶表示パネルと、を含む液晶表示装置を提供する。
本発明によると、光源ユニットで光と共に発生した熱を光源ユニットと光学部材との間に配置された放熱部に伝達して光学部材に直接伝達されることを防止することができ、従って光学部材の変形を防止して液晶表示装置から発生した映像の品質低下を防止することができる。
【発明を実施するための最良の形態】
【０００８】
以下、図面を参照して本発明の望ましい一実施例をより詳細に説明する。
光源アセンブリの実施例
【０００９】
実施例１
図１は本発明の第１実施例による光源アセンブリを示す部分切開斜視図である。図２は図１に示した光源アセンブリのＡ部分の拡大図である。図３は図１に示した光源アセンブリをＢ−Ｂ’線に沿って切断した断面図である。
図１乃至図３に示すように、光源アセンブリ１００は光源ユニット１１０、ホルダー１２０及び反射カバー１３０を含む。
光源ユニット１１０は光源本体１１２、蛍光層１１４及び放電電圧伝達部１１６を含む。
本実施例で、光源本体１１２は光透過率が高いガラス材質で製作され、チューブ形状を有する。光源本体１１２は放電によって非可視光線を発生する放電ガス１１８を収容するための放電空間１１８ａを有する。
放電ガス１１８には水銀Ｈｇ、及び、アルゴン（Ａｒ）、ネオン（Ｎｅ）、キセノン（Ｘｅ）、クリプトン（ｋｒ）などのような不活性ガスが含まれる。これらのガスは単独でまたは混合して使用することができる。放電ガス１１８に含まれた水銀Ｈｇは、放電空間１１８ａ内の電子と衝突して紫外線のような非可視光線を発生させる。
光源本体１１２の内壁には、非可視光線を可視光線に変化させるための蛍光層１１４が配置される。蛍光層１１４は、可視光線より短い波長を有する非可視光線（ｎｏｎ‐ｖｉｓｉｂｌｅ  ｒａｙ）を可視光線に変化させる。
【００１０】
蛍光層１１４を通過した可視光線は、太陽光と類似する白色光である。蛍光層１１４はレッド蛍光物質、グリーン蛍光物質及びブルー蛍光物質で構成され、レッド蛍光物質、グリーン蛍光物質及びブルー蛍光物質は同一の比率で混合されている。レッド蛍光物質は非可視光線からレッド可視光線を発生し、グリーン蛍光物質は非可視光線からグリーン可視光線を発生し、ブルー蛍光物質が非可視光線からブルー可視光線を発生する。
放電電圧伝達部１１６は光源本体１１２に設置または形成される。放電電圧伝達部１１６は外部から印加された放電電圧を光源本体１１２に伝達する。放電電圧伝達部１１６により光源本体１１２の内部に伝達された放電電圧は、光源本体１１２の内部で電子の流れである放電を起こす。
光源本体１１２の内部で発生した放電により放電ガス１１８は非可視光線を発生し、蛍光層１１４は非可視光線を可視光線に変える。従って、光源本体１１２の表面から白色光が発生する。
【００１１】
放電電圧伝達部１１６は、光源本体１１２の内部にその一部を挿入して構成することができる。また、放電電圧伝達部１６を光源本体１１２の外部に設置することができる。本実施例で、放電電圧伝達部１１６は、光源本体１１２の内部で一対の放電電圧電圧部が向き合うように、光源本体１１２の内部に放電電圧伝達部１１６の一部が設置される。具体的には、放電電圧伝達部１１６は、光源本体１１２の第１端部１１２ａに配置された第１電極１１６ａ及び光源本体１１２のうち第１端部１１２ａと向き合う第２端部１１２ｂに配置された第２電極１１６ｂを含む。
ホルダー１２０は、光源ユニット１１０を指定された位置に固定する。ホルダー１２０は直方体の形状に製作され、光源ユニット１１０が挿入されるのに適した貫通孔１２２を有する。本実施例では、光源アセンブリ１００は２つのホルダー１２０を有し、光源ユニット１１０の第１端部１１２ａ及び第２端部１１２ｂは２つのホルダー１２０にそれぞれ挿入される。
反射カバー１３０は反射部１３６及び放熱部１３９を含む。
【００１２】
反射部１３６は光源ユニット１１０の表面から放射状に放出された可視光線を集光する。反射部１３６により集光された可視光線は、一方の方向のみに射出される。本実施例で、反射部１３６は、第１反射部１３１、第２反射部１３２及び第３反射部１３３で構成される。第１反射部１３１は光源ユニット１１０の長さと等しい長さを有する直方体プレート形状を有する。第２反射部１３２は第１反射部１３１の長さ方向に延びるエッジから、光源ユニット１１０を囲む方向に延びている。本実施例で、第１反射部１３１及び第２反射部１３２は互いに垂直となるように配置される。第３反射部１３３は第２反射部１３２の長さ方向に延びるエッジから光源ユニット１１０を囲む方向に延びる。本実施例で、第３反射部１３３は第１反射部１３１と向き合い互いに平行に配置される。
放熱部１３９は、反射部１３０の一部から延びホルダー１２０を囲む。放熱部１３９は、第２反射部１３２と平行になるように、ホルダー１２０の側面に沿って折り曲げることもできる。ホルダー１２０を囲む放熱部１３９は、光源ユニット１１０からホルダー１２０に伝達された熱を迅速に反射部１３０の方に伝達して、ホルダー１２０の温度を低くする。本実施例で、放熱部１３９は反射部１３０の第１反射部１３１から延びている。このとき、放熱部１３９は、第１反射部１３１からホルダーのみを選択的に囲むに適切な位置に延びるように構成される。これは放熱部１３９により光源ユニット１１０から射出された光が遮断されないようにするためである。
【００１３】
本実施例によると、光源アセンブリ１００の反射部１３６にホルダー１２０を囲む放熱部１３９を形成することにより、光源ユニット１１０から射出された光を遮断しないで、ホルダー１２０に伝達された熱が放熱部１３９を通じて外部に放熱されるようにしてホルダー１２０部分での熱を取り除いて冷却し、ホルダー１２０に隣接する位置に配置された光学部材などの損傷を減少させることができる。
【００１４】
実施例２
図４は本発明の第２実施例による光源アセンブリを示す部分切開斜視図である。本実施例における光源アセンブリの構成は、放熱部の位置を除いては実施例１で説明した光源アセンブリの構成と同一である。従って、同一の部材に対しては実施例１と同一の参照符号を示しその重複する説明は省略する。
図４に示すように、放熱部１３８は反射部１３０の第３反射部１３３から延びている。第３反射部１３３から延びる放熱部１３８は、ホルダー１２０と対応する位置に延び、この放熱部１３８は第３反射部１３３からホルダー１２０と向き合うように、すなわち、放熱部１３８が第２反射部と互いに平行になるようにホルダー１２０に沿って上方に向かって折り曲げられる。第３反射部１３３からホルダー１２０と向き合うように折り曲げられた放熱部１３８は、ホルダー１２０に伝えられた熱を放熱してホルダー１２０の温度を低くし、ホルダー１２０に隣接する位置に配置された光学部材の損傷を大幅に減少させることができる。
本実施例によると、光源アセンブリ１００の反射部１３６にホルダー１２０を囲む放熱部１３８を形成することにより、光源ユニット１１０から射出された光は遮断せずホルダー１２０に伝達された熱が放熱部１３８を通じて外部に放熱されるようにして、ホルダー１２０部分での熱を除去してホルダー１２０を冷却し、ホルダー１２０と隣接する位置に配置された光学部材などの損傷を減少させることができる。
【００１５】
バックライトアセンブリの実施例
実施例３
図５は本発明の第３実施例によるバックライトアセンブリの部分切開分解斜視図である。図６は図５に示したバックライトアセンブリのＢ部分の拡大図である。図７は図５に示したバックライトアセンブリの各構成要素を組み立てた状態を示す斜視図である。図８は図７に示したバックライトアセンブリをＣ−Ｃ’線に沿って切断した断面図である。図９は図７に示したバックライトアセンブリをＤ−Ｄ’線に沿って切断した断面図である。
図５乃至図９に示すように、バックライトアセンブリ２００は光源アセンブリ１００、光学部材２５０及び第１収納容器２８０を含む。
光源アセンブリ１００は光源ユニット１１０、ホルダー１２０及び反射カバー１３０を含む。
【００１６】
光源ユニット１１０は光源本体１１２、蛍光層１１４及び放電電圧伝達部１１６（図１を参照）を含む。
光源本体１１２には、放電によって非可視光線を発生する放電ガス１１８を収容するための放電空間１１８ａが形成される。
蛍光層１１４は光源本体１１２の内壁に配置され、蛍光層１１４は可視光線より短い波長を有する非可視光線を可視光線に変える。蛍光層１１４はレッド蛍光物質、グリーン蛍光物質及びブルー蛍光物質からなり、レッド蛍光物質、グリーン蛍光物質及びブルー蛍光物質は同一の比率で混合されている。
放電電圧伝達部１１６は光源本体１１２に設置または形成される。放電電圧伝達部１１６は外部から印加された放電電圧を光源本体１１２に伝達する。放電電圧伝達部１１６により光源本体１１２の内部に伝達された放電電圧は光源本体１１２の内部で電子の流れである放電を起こす。光源本体１１２の内部で発生した放電により放電ガス１１８は非可視光線を発生し、蛍光層１１４は非可視光線を可視光線に変える。従って、光源本体１１２の表面では白色光が発生する。
【００１７】
ホルダー１２０は光源ユニット１１０を指定された位置に固定する。ホルダー１２０は直方体形状に製作され、光源ユニット１１０が挿入されるのに適した貫通孔を有する。本実施例では、ホルダー１２０は光源ユニット１１０の両側端部に配置される。
反射カバー１３０は複数個の反射部１３６を含む。反射部１３６は光源ユニット１１０の表面から放射上に射出された可視光線を集光する。反射部１３６のより集光された可視光線は一方の方向のみに射出される。本実施例で、反射部１３６は第１反射部１３１、第２反射部１３２及び第３反射部１３３で構成される。第１反射部１３１は光源ユニット１１０の長さと等しい長さを有する直方体プレート形状を有する。第２反射部１３２は第１反射部１３１の長さ方向に延びるエッジから、光源ユニット１１０を囲む方向に延びている。本実施例で、第１反射部１３１及び第２反射部１３２は互いに垂直となるように配置される、第３反射部１３３は第２反射部１３２の長さ方向に延びるエッジから光源ユニット１１０を囲む方向に延びる。本実施例で、第３反射部１３３は第１反射部１３１と向き合い、互いに平行に配置される。
【００１８】
光学部材２５０は光源ユニット１１０から射出された可視光線の光学分布を変化させる。光学部材２５０により光源ユニット１１０から射出された可視光線の光学分布はより均一になる。
本実施例で、光学部材２５０は導光板２５２を含む。導光板２５２は光源ユニット１１０から射出された可視光線が入射される光入射面を含む側面２５２ａ、可視光線を反射する光反射面２５２ｂ及び可視光線を射出する光射出面２５２ｃを含む。
光学部材２５０は光学シート類２５４、２５６をさらに含むことができる。光学シート類２５４、２５６は、それぞれ、拡散シート２５６及び反射板２５４とすることができる。
第１収納容器２８０は、外部から加えられた衝撃による変形が比較的小さく、光源ユニット１１０から発生した熱を迅速に放熱するためのアルミニウムまたはアルミニウム合金材質で製作される。第１収納容器２８０は収納本体２８５及び放熱部２８８を含む。
【００１９】
収納本体２８５は第１底面２８２及び第１側壁２８４を含む。本実施例で、第１底面２８２は光源アセンブリ１００及び光学部材２５０を収納するに適した形状及び面積を有する。第１側壁２８４は底面２８２の縁から収納空間が形成されるように突出している。第１側壁２８４によって、底面２８２に置かれた光源アセンブリ１００及び光学部材２５０は指定された位置に固定される。
放熱部２８８は、収納本体２８５に形成されて、光学部材２５０と光源アセンブリ１００のホルダー１２０との間に配置される。放熱部２８８は、光源アセンブリ１００から発生した熱がホルダー１２０を通じて光学部材２５０の方に直接伝達されないようにして、光学部材２５０が熱によって損傷することを防止する。
【００２０】
本実施例で、放熱部２８８は、収納本体２８５の第１側壁２８４から延びる。第１側壁２８４から延びる放熱部２８８は光源アセンブリ１００の反射部１３６を囲む。具体的には、放熱部２８８は、反射部１３６の第２反射部１３２及び第３反射部１３３を囲む。また、第２反射部１３２及び第３反射部１３３を囲んだ放熱部２８８は折り曲げられて、ホルダー１２０と光学部材２５０との間に配置される。具体的には、図９に示すように、放熱部２８８は、ホルダー１２０と、ホルダー１２０と接触する導光板２５０の側面２５２ａとの間に配置される。
本実施例によると、第１収納容器２８０にホルダー１２０と光学部材２５０との間に配置される放熱部２８８を形成して、光源ユニット１１０からホルダー１２０に伝達された熱が光学部材２５０に直接伝達されないようにすることで、光学部材２５０の破損及び形状変化を防止することができる。
【００２１】
実施例４
図１０は、本発明の第４実施例によるバックライトアセンブリの部分切開分解斜視図である。図１１は図１０に示したバックライトアセンブリの各構成要素を結合した状態の斜視図である。本実施例におけるバックライトアセンブリの構成は、放熱部を除いては、実施例３に示したバックライトアセンブリの構成と同一である。従って、同一の部材に対しては実施例３と同一の参照番号を示しその重複された説明は省略することにする。
図１０及び図１１に示すように、放熱部２８９は第１収納容器２８０の第１底面２８２から延びる。放熱部２８９は第１収納容器２８０の第１底面２８２の一部をカットしてホルダー１２０を囲む方向に折り曲げることにより形成する。
【００２２】
本実施例で、放熱部２８９は折り曲げられてホルダー１２０と光学部材２５０との間に配置される。放熱部２８９が折り曲げられてホルダー１２０と光学部材２５０との間に配置されることで、光源アセンブリ１００のホルダー１２０に伝達された熱は放熱部２８９に沿って第１収納容器２８０の第１底面２８２に伝達されて、第１底面２８２で放熱される。また、ホルダー１２０と光学部材２５０との間に折り曲げられた放熱部２８９は、光源アセンブリ１００が第１収納容器２８０から動くことを防止する機能も有する。
また、放熱部２８９は、光学部材２５０と向き合うホルダー１２０、光源アセンブリ１００の第１反射部１３１及び第２反射部１３２を順次に囲むように折り曲げられることがより望ましい。放熱部２８９をホルダー１２０、第１反射部１３１及び第２反射部１３２を囲むように構成することにより、放熱面積を大きくしされてホルダー１２０の表面温度をより低くすることができる。
【００２３】
実施例５
図１２は本発明の第５実施例によるバックライトアセンブリの部分切開分解斜視図である。本実施例におけるバックライトアセンブリの構成は、第２収納容器設ける点を除いては実施例４に示したバックライトアセンブリの構成と同一である。従って、同一の部材に対しては実施例４と同一の参照番号を示し、その重複された説明は省略することにする。
図１２に示すように、第２収納容器２９０は第１収納容器２８０を収納し、第１収納容器２８０に比べて電気的抵抗が非常に高い絶縁物質、例えば、合成樹脂材質で製作される。第２収納容器２９０は外部から第１収納容器２８０に加えられた衝撃などを吸収して、第１収納容器２８０の変形を防止する。また、第２収納容器２９０は第１収納容器２８０に形成された放熱部２８９から光源アセンブリ１００が離脱することを防止する。
第２収納容器２９０は、第１収納容器２８０を収納するために、第２底面２９２及び第２側壁２９４を含む。第２底面２９２は第１収納容器２８０の第１底面２８２を収納するに十分な面積を有し、第２側壁２９４は第１収納容器２８０が離脱しないように十分な高さを有する。
本実施例によると、放熱部２８９が形成された第１収納容器２８０を第２収納容器２９０に収納することで、第１収納容器２８０が外部から加えられた衝撃などにより破損しまたは変形することを防止する。
本実施例では、第２収納容器を設ける点を除いては実施例４のバックライトアセンブリと同一のバックライトアセンブリについて説明したが、本実施例はこれに限定されるものではない。他の実施例として、例えば、本発明によるバックライトアセンブリを第２収納容器を設ける点を除いては実施例３のバックライトアセンブリと同一のものとすることも可能である。
【００２４】
液晶表示装置の実施例
実施例６
図１３は本発明の第６実施例による液晶表示装置の部分切開分解斜視図である。本実施例の液晶表示装置で使用されるバックライトアセンブリの構成は実施例４で説明したバックライトアセンブリの構成と同一である。従って、同一の部材に対しては実施例４と同一の参照番号を示しその重複された説明は省略することにする。
図１３に示すように、液晶表示装置６００はバックライトアセンブリ２００、ミドルシャーシ３００、液晶表示パネル４００及びトップシャーシ５００を含む。
ミドルシャーシ３００はバックライトアセンブリ２００の第１収納容器２８０の上面に設置される。ミドルシャーシ３００は、液晶表示パネル４００が左右に動かないように、液晶表示パネル４００をバックライトアセンブリ２００に固定する。
液晶表示パネル４００は、バックライトアセンブリ２００の光源ユニット１１０から発生した光を情報が含まれたイメージ光に変換する。これを具現するために、液晶表示パネル４００はＴＦＴ基板４１０、液晶４３０及びカラーフィルター基板４２０を含む。
ＴＦＴ基板４１０は、マトリックス状に配置された画素電極、各画素電極に駆動電圧を印加する薄膜トランジスタ、ゲートライン及びデータラインを含む。
【００２５】
カラーフィルター基板４２０は、ＴＦＴ基板４１０に形成された画素電極と向き合うように配置されたカラーフィルター、及びカラーフィルターの上面に形成された共通電極を含む。
液晶４３０はＴＦＴ基板４１０とカラーフィルター基板４２０との間に配置される。
一方、液晶表示パネル４００のエッジはトップシャーシ５００により囲まれ、トップシャーシ５００の一部はバックライトアセンブリ２００の第１収納容器２８０にフックにより結合される。トップシャーシ５００は外部衝撃に対して弱い液晶表示パネル４００の割れを防止し、液晶表示パネル４００がバックライトアセンブリ２００から離脱することを防止する。
【００２６】
本実施例においては、実施例４のバックライトアセンブリと同一のバックライトアセンブリを使用したが、本実施例はこれに限定されるものではない。他の実施例として、例えば、本発明による他の液晶表示装置が実施例３のバックライトアセンブリを含むこともできる。このように構成することにより、前述したように、光源ユニットから発生した熱が光源ユニットと接触する光学部材に直接伝達されないように光源ユニットと光学部材との間には収納容器から延伸された放熱部が配置されるので、光学部材に光源ユニットから発生した熱による変形及び撓みが発生しないようにすることができる。
以上、本発明の実施例によって詳細に説明したが、本発明はこれに限定されるものではなく、本発明が属する技術分野において通常の知識を有するものであれば本発明の思想と精神を離れることなく、本発明を修正または変更できる。
【図面の簡単な説明】
【００２７】
【図１】本発明の第１実施例による光源アセンブリを示す部分切開斜視図である。
【図２】図１に示した光源アセンブリのＡ部分の拡大図である。
【図３】図１に示した光源アセンブリのＢ−Ｂ’線に沿って切断した断面図である。
【図４】本発明の第２実施例による光源アセンブリを示す部分切開斜視図である。
【図５】本発明の第３実施例によるバックライトアセンブリの部分切開分解斜視図である。
【図６】図５に示したバックライトアセンブリのＢ部分の拡大図である。
【図７】図５に示したバックライトアセンブリの各構成要素を結合した状態を示す斜視図である。
【図８】図７に示したバックライトアセンブリをＣ−Ｃ’線に沿って切断した断面図である。
【図９】図７に示したバックライトアセンブリをＤ−Ｄ’線に沿って切断した断面図である。
【図１０】本発明の第４実施例によるバックライトアセンブリの部分切開分解斜視図である。
【図１１】図１０に示したバックライトアセンブリの各構成要素を結合した状態を示す斜視図である。
【図１２】本発明の第５実施例によるバックライトアセンブリの部分切開分解斜視図である。
【図１３】本発明の第６実施例による液晶表示装置の部分切開分解斜視図である。
【符号の説明】
【００２８】
１００      光源アセンブリ
１１０      光源ユニット
１１２      光源本体
１１４      蛍光層
１１６      放電電圧伝達部
１１８      放電ガス
１１８ａ      放電空間
１１０      光源ユニット
１２０      ホルダー
１２２      貫通孔
１３０      反射カバー
１３１      第１反射部
１３２      第２反射部
１３３      第３反射部
１３６      反射部
１３９、２８８、２８９      放熱部
２００      バックライトアセンブリ
２５０      光学部材
２５２ｂ      光反射面
２５２ｃ      光出射面
２５４、２５６      光学シート類
２８０      第１収納容器
２８５      収納本体
２９０      第２収納容器
３００      ミドルシャーシ
４００      液晶表示パネル
５００      トップシャーシ
６００      液晶表示装置
【図１】
2005019400.tif 000004
【図２】
2005019400.tif 000005
【図３】
2005019400.tif 000006
【図４】
2005019400.tif 000007
【図５】
2005019400.tif 000008
【図６】
2005019400.tif 000009
【図７】
2005019400.tif 000010
【図８】
2005019400.tif 000011
【図９】
2005019400.tif 000012
【図１０】
2005019400.tif 000013
【図１１】
2005019400.tif 000014
【図１２】
2005019400.tif 000015
【図１３】
2005019400.tif 000016